(57)【要約】【課題】連結に係る作業性の向上を図ることが可能な基板ケース及び遊技機を提供する。【解決手段】連結部１４、１５における連結具２０の連結は、連結具２０を係止位置に回転させた状態で行われ、連結具２０の被係止部８５が収容部４８の係止部５６に引っ掛かり係止される。この時、収容部４８の開口部５７は連結具２０の第二片状部８０により塞がれ、被係止部８５と係止部５６との係止状態を外部から解除しようとすることは不能となる。連結が完了すると、基板ケース１１は封止状態になる。連結具２０が連結に使用する対象のものでない場合、連結具２０は係止退避位置に配置される。この時、被係止部８５と係止部５６との引っ掛かり合いは生じない。【選択図】図２３
2011092334.tif 000002
【特許請求の範囲】
【請求項１】
電気・電子部品が実装された基板を少なくとも収容するための樹脂製のベース部材及び蓋部材を備えるとともに、これら前記ベース部材及び前記蓋部材を重ね合わせた状態で連結するための連結部を複数有する遊技機の基板ケースにおいて、
前記連結部を、前記ベース部材側に形成されるベース側連結部及び前記蓋部材側に形成される蓋側連結部と、これら前記ベース側連結部及び前記蓋側連結部のいずれか一方に設けられる連結具とを含んで構成し、且つ、
前記ベース側連結部及び前記蓋側連結部のいずれか他方を、係止部を有し前記連結具を収容可能な形状に形成するとともに、前記連結具を、前記係止部に対する被係止部を有する形状に形成し、さらに、
前記連結具を、該連結具の構成を含む回転軸機構にて係止位置と係止退避位置との間を回転可能に保持する
ことを特徴とする遊技機の基板ケース。
【請求項２】
請求項１に記載の遊技機の基板ケースにおいて、
前記他方となる前記ベース側連結部又は前記蓋側連結部の形状を、筒側壁と筒底壁とを有する有底の筒形状に形成し、前記係止部の形状を、前記筒側壁内面に突出する略爪形状に形成し、前記連結具に形成される前記被係止部の形状を、前記係止部に引っ掛かる穴形状に形成し、さらに前記連結具の形状を、前記係止位置に回転した時に前記係止部を臨むように貫通する開口部を塞ぐことが可能な形状に形成する
ことを特徴とする遊技機の基板ケース。
【請求項３】
請求項２に記載の遊技機の基板ケースにおいて、
前記筒底壁に、前記連結具の一部を係合して保持する係合保持部を形成する
ことを特徴とする遊技機の基板ケース。
【請求項４】
請求項３に記載の遊技機の基板ケースにおいて、
前記係合保持部に係合する前記連結具の前記一部を、前記開口部を塞ぐ部分の先端部分とする
ことを特徴とする遊技機の基板ケース。
【請求項５】
請求項１ないし請求項４いずれか記載の遊技機の基板ケースにおいて、
前記一方となる前記ベース側連結部又は前記蓋側連結部に、前記連結具の回転を規制する位置決めリブを形成するとともに、前記連結具に、前記係止位置及び前記係止退避位置において前記位置決めリブに当接する位置決め当接部を形成する
ことを特徴とする遊技機の基板ケース。
【請求項６】
請求項１ないし請求項５いずれか記載の遊技機の基板ケースにおいて、
前記回転軸機構を、円柱又は円筒状の軸部と、相対向する一対の軸係合部とを含んで構成するとともに、前記軸部の外周面に、所定ピッチで軸方向に延びる複数の低背の突条を形成し、さらに前記一対の軸係合部それぞれに、前記突条に対応する溝を形成する
ことを特徴とする遊技機の基板ケース。
【請求項７】
請求項１ないし請求項６いずれか記載の遊技機の基板ケースにおいて、
前記一方となる前記ベース側連結部又は前記蓋側連結部を前記他方に対し相対的にスライド移動させつつ前記連結部が連結可能となるように該連結部を配置形成する
ことを特徴とする遊技機の基板ケース。
【請求項８】
請求項１ないし請求項７いずれか記載の遊技機の基板ケースを備える
ことを特徴とする遊技機。
【発明の詳細な説明】
【技術分野】
【０００１】
本発明は、ベース部材及び蓋部材を連結部により連結して封止する構造の基板ケースと、この基板ケースを備える遊技機とに関する。
【背景技術】
【０００２】
遊技機において例えばパチンコ機を例に挙げると、このパチンコ機の遊技盤裏側には、樹脂製のベース部材及び蓋部材を備える基板ケースが固定されている。基板ケースには、遊技制御を行うための主制御基板が少なくとも収容されている。基板ケースは、ベース部材及び蓋部材を所定の重ね合わせ状態にすることにより、主制御基板を外部から保護できるように形成されている。また、基板ケースは、主制御基板に実装されたＩＣ等が不正に交換されたりすることがないように、ベース部材及び蓋部材が連結部によって連結され、これにより不正に開封することができないようになっている。ベース部材及び蓋部材が連結状態にある基板ケースは、連結部を構成する一部分としての切断部（切断対象となる切断部）を例えばニッパー等で切断することにより、ベース部材に対して蓋部材を分離することができるようになっている。切断部を切断した後にこの部分は、基板ケースを開封した痕跡として残るようになっている。
【０００３】
下記特許文献１、２に開示された基板ケースは、この基板ケースを開封した後、再度封止する場合に、次に連結対象となる連結部に予め収容された連結具を一度外へ取り出し、そしてこの取り出した連結具の向きを所定方向へ変えてから元の収容位置へと戻す作業を行い、この後にベース部材及び蓋部材を連結すると、再び基板ケースを封止状態にすることができるようになっている。
【先行技術文献】
【特許文献】
【０００４】
【特許文献１】特許第４２９３５０２号公報
【特許文献２】特開２００９−６１００６号公報
【発明の概要】
【発明が解決しようとする課題】
【０００５】
ところで、上記従来技術にあっては、次に連結対象となる連結部に予め収容された連結具を一度外へ取り出す作業が必要であるとともに、この取り出した連結具の向きを所定方向へ変えて元の収容位置へと戻す作業も必要であることから、作業者に煩雑な作業をさせなければならないという問題点を有している。また、上記従来技術にあっては、連結部に連結具を収容しておくにあたり、連結具が脱落してしまわないようにするため、仮止めを設けようとすると、連結具を取り出したり収容したりすることが容易でなくなることから、この場合も作業者に煩雑な作業をさせなければならないという問題点を有している。さらに、上記従来技術にあっては、連結具の向きを所定方向へ変えてから元の収容位置へと戻すにあたり、連結具の方向性があるようであれば、誤組み付け防止のために向きを確認したりする必要があることから、この場合も作業者に煩雑な作業をさせなければならないという問題点を有している。
【０００６】
本発明は、上記した事情に鑑みてなされたもので、連結に係る作業性の向上を図ることが可能な基板ケースを提供することを課題とする。また、このような基板ケースを備えた遊技機を提供することも課題とする。
【課題を解決するための手段】
【０００７】
上記課題を解決するために、本発明の遊技機の基板ケースは、電気・電子部品が実装された基板を少なくとも収容するための樹脂製のベース部材及び蓋部材を備えるとともに、これら前記ベース部材及び前記蓋部材を重ね合わせた状態で連結するための連結部を複数有する遊技機の基板ケースにおいて、前記連結部を、前記ベース部材側に形成されるベース側連結部及び前記蓋部材側に形成される蓋側連結部と、これら前記ベース側連結部及び前記蓋側連結部のいずれか一方に設けられる連結具とを含んで構成し、且つ、前記ベース側連結部及び前記蓋側連結部のいずれか他方を、係止部を有し前記連結具を収容可能な形状に形成するとともに、前記連結具を、前記係止部に対する被係止部を有する形状に形成し、さらに、前記連結具を、該連結具の構成を含む回転軸機構にて係止位置と係止退避位置との間を回転可能に保持することを特徴とする。
【０００８】
このような特徴を有する本発明によれば、ベース側連結部及び蓋側連結部のいずれか一方に設けられる連結具は、回転軸機構にて保持されることにより回転可能になる。連結具は、回転軸機構にて係止位置と係止退避位置との間を回転し、また、回転軸機構にて保持されることから、回転に際してベース側連結部及び蓋側連結部のいずれか一方から取り出して回転させる必要はない。連結具は、これを回転させて係止位置に配置すれば、ベース部材及び蓋部材の重ね合わせに伴い、ベース側連結部及び蓋側連結部のいずれか他方へ収容され、そしてこの収容と同時に係止される。連結具は、収容されることにより保護される。
【０００９】
また、本発明の遊技機の基板ケースは、前記他方となる前記ベース側連結部又は前記蓋側連結部の形状を、筒側壁と筒底壁とを有する有底の筒形状に形成し、前記係止部の形状を、前記筒側壁内面に突出する略爪形状に形成し、前記連結具に形成される前記被係止部の形状を、前記係止部に引っ掛かる穴形状に形成し、さらに前記連結具の形状を、前記係止位置に回転した時に前記係止部を臨むように貫通する開口部を塞ぐことが可能な形状に形成することを特徴とする。
【００１０】
このような特徴を有する本発明によれば、ベース部材及び蓋部材の重ね合わせに伴い、連結具はベース側連結部及び蓋側連結部のいずれか他方の有底筒形状の部分に収容される。連結具は、この回転位置が係止位置であれば、略爪形状の係止部に穴形状の被係止部が引っ掛かり係止される。また、回転位置が係止位置であれば、係止部を臨む開口部を覆って、係止部と被係止部との引っ掛かり合い部分を保護する。連結具は、この回転位置が係止退避位置である場合に開口部を覆わないようにすれば、開口部を係止状態確認用の部分として機能させることが可能になる。
【００１１】
また、本発明の遊技機の基板ケースは、前記筒底壁に、前記連結具の一部を係合して保持する係合保持部を形成することを特徴とする。
【００１２】
このような特徴を有する本発明によれば、連結具の一部と係合保持部とを係合して保持する。これにより、連結具の保持状態が向上するとともに、開口部を塞ぐ状態が安定し良好になる。
【００１３】
また、本発明の遊技機の基板ケースは、前記係合保持部に係合する前記連結具の前記一部を、前記開口部を塞ぐ部分の先端部分とすることを特徴とする。
【００１４】
このような特徴を有する本発明によれば、有底筒形状の部分に連結具が収容されると、開口部に対しこれを塞ぐ部分の先端部分が係合保持部に係合する。係合保持部への係合は、連結具の収容だけで完了する。
【００１５】
また、本発明の遊技機の基板ケースは、前記一方となる前記ベース側連結部又は前記蓋側連結部に、前記連結具の回転を規制する位置決めリブを形成するとともに、前記連結具に、前記係止位置及び前記係止退避位置において前記位置決めリブに当接する位置決め当接部を形成することを特徴とする。
【００１６】
このような特徴を有する本発明によれば、位置決め当接部が位置決めリブに当接するまで連結具を回転させると、この連結具は係止位置又は係止退避位置に配置される。
【００１７】
また、本発明の遊技機の基板ケースは、前記回転軸機構を、円柱又は円筒状の軸部と、相対向する一対の軸係合部とを含んで構成するとともに、前記軸部の外周面に、所定ピッチで軸方向に延びる複数の低背の突条を形成し、さらに前記一対の軸係合部それぞれに、前記突条に対応する溝を形成することを特徴とする。
【００１８】
このような特徴を有する本発明によれば、連結具を回転させると、この回転に伴い溝が低背の突条を乗り越えるようにして係合する。この時、連結具を介して作業者の手にはクリック感が伝わる。突条と溝との係合は、連結具の回り止めとしても機能する。
【００１９】
また、本発明の遊技機の基板ケースは、前記一方となる前記ベース側連結部又は前記蓋側連結部を前記他方に対し相対的にスライド移動させつつ前記連結部が連結可能となるように該連結部を配置形成することを特徴とする。
【００２０】
このような特徴を有する本発明によれば、蓋部材に対してベース部材を相対的にスライド移動させ、又はベース部材に対して蓋部材を相対的にスライド移動させると、このスライド移動に伴って連結部による連結が完了する。
【００２１】
そして、本発明の遊技機は、上記記載の基板ケースを備えることを特徴とする。
【００２２】
このような特徴を有する本発明によれば、上記の連結部にてベース部材及び蓋部材を連結する基板ケースであることから、有用な基板ケースを備える遊技機になる。
【発明の効果】
【００２３】
本発明によれば、連結に際して連結具の取り出しを不要にすることにより、連結に係る作業性の向上を図ることができるという効果を奏する。また、本発明によれば、連結具の取り出しを不要にすることにより、連結具の仮止め構造も不要にすることができ、構造を簡素化することができるという効果を奏する。また、本発明によれば、連結具の仮止め構造を不要にしても回転軸機構にて回転可能に保持することから、連結具の紛失を防止することができるという効果を奏する。また、本発明によれば、ベース部材及び蓋部材の重ね合わせと同時にこれらを連結することができ、基板ケースの封止に係る作業性の向上を図ることができるという効果を奏する。また、本発明によれば、特別な工具等を用いずにベース部材及び蓋部材を連結することができるという効果を奏する。
【００２４】
また、本発明によれば、連結具等の形状に配慮することにより、係止部と被係止部との引っ掛かり合い部分を保護して不正に解除されるのを防止することができるという効果を奏する。また、本発明によれば、係合保持部を形成することにより、係止部と被係止部との引っ掛かり合いの解除を困難にし、より確実に不正を防止することができるという効果を奏する。また、本発明によれば、係合保持部への係合・保持を簡単な構造で提供することができるという効果を奏する。
【００２５】
また、本発明によれば、位置決めリブ及び位置決め当接部を形成することにより、連結具の回転範囲を規制して操作性の向上を図ることができるという効果を奏する。また、本発明によれば、連結具を回転させるとクリック感を生じさせることができ、操作性の向上を図ることができるという効果を奏する。
【００２６】
また、本発明によれば、基板ケースの組み付けをスライド移動によって容易に行うことができるという効果を奏する。
【００２７】
また、本発明によれば、上記効果の基板ケースを備えることから、有用な遊技機として提供することができるという効果を奏する。
【図面の簡単な説明】
【００２８】
【図１】本発明の基板ケースを取り付けた遊技機の背面図である。
【図２】基板ケースの斜視図である。
【図３】基板ケースの正面図である。
【図４】基板ケースの図２とは異なる方向から見た斜視図である。
【図５】蓋部材側から見た基板ケースの分解斜視図（基板を含む）である。
【図６】ベース部材側から見た基板ケースの分解斜視図（基板を含む）である。
【図７】蓋部材の正面側から見た斜視図である。
【図８】蓋部材の正面図である。
【図９】蓋部材の底面図である。
【図１０】蓋部材の背面側から見た斜視図である。
【図１１】ベース部材の斜視図である。
【図１２】ベース部材の正面図である。
【図１３】ベース部材の図１１とは異なる方向から見た斜視図である。
【図１４】ベース部材の平面図である。
【図１５】カシメ具の図であり、（ａ）は被係止部側から見た斜視図、（ｂ）は一対の軸係合部側から見た斜視図である。
【図１６】ピン付き状態となるカシメ具の図であり、（ａ）は被係止部側から見た斜視図、（ｂ）は一対の軸係合部側から見た斜視図である。
【図１７】基板を収容した状態の基板ケースの断面線に係る図である。
【図１８】基板を収容した状態の基板ケースの断面線に係る図である。
【図１９】図１７のＡ−Ａ線断面図である。
【図２０】図１７のＢ−Ｂ線断面図である。
【図２１】図１７のＣ−Ｃ線断面図である。
【図２２】図１７のＤ−Ｄ線断面図である。
【図２３】図１８のＥ−Ｅ線断面図である。
【図２４】ベース側連結部及び連結具の変形例を示す斜視図である。
【図２５】蓋側連結部の変形例を示す斜視図である。
【発明を実施するための形態】
【００２９】
以下、図面を参照しながら第１実施例を説明する。図１は本発明の基板ケースを取り付けた遊技機の背面図である。また、図２ないし図２３は本発明の基板ケースに係る図である。
【００３０】
図１において、遊技機の代表例として示されるパチンコ機２００は、外郭を構成する矩形枠状の外枠２０１と、この外枠２０１に対して開閉可能に設けられ、図示しない遊技盤が装着される内枠２０２とを備えている。また、パチンコ機２００は、内枠２０２の背面側にスライド錠２０３と、補給タンク２０４と、タンクレール２０５と、払出装置２０６とを備えている。さらに、パチンコ機２００は、電源基板及びケースを含む電源基板部２０７と、演出制御基板及び盤裏カバーを含む演出制御基板部２０８と、発射制御基板及びケースを含む発射制御基板部２０９と、主制御基板及びケースを含む主制御基板部２１０とを備えている。さらにまた、パチンコ機２００は、払出制御基板１０（図５参照）と、この払出制御基板１０を収容する本発明の基板ケース１１とを備えている（基板ケース１１は払出制御基板１０に限らず、上記他の基板を収容するケースにも適用できるものとする）。
【００３１】
尚、上記引用符号２００〜２１０はここでは公知のものを用いており、詳細な説明は省略するものとする。以下、本発明の基板ケース１１について説明をする。基板ケース１１は、内枠２０２の背面側に公知の方法で組み付けられている（以下の説明では、図１における基板ケース１１の配置に基づいて上下・左右の各方向を定義するものとする。また、図１における基板ケース１１の配置に基づいて、この基板ケース１１自体の正面Ｒ・背面Ｓ・側面（平面Ｔ・底面Ｕ・左側面Ｖ・右側面Ｗなどの各面も図２に示す如く定義するものとする）。
【００３２】
図２ないし図４において、基板ケース１１は、樹脂製のベース部材１２及び蓋部材１３を備えて構成されている。また、基板ケース１１は、ベース部材１２及び蓋部材１３を重ね合わせた状態で連結するための連結部１４、１５を複数有している。複数の連結部１４、１５は、二つの群に分けられている。すなわち、第一連結部群１６と第二連結部群１７とに分けられている。第一連結部群１６は、連結部１４を構成する一部分としての切断部１８がベース部材１２側となる配置の群として設定されている。また、第二連結部群１７は、連結部１５を構成する一部分としての切断部１９が蓋部材１３側となる配置の群として設定されている。
【００３３】
基板ケース１１に対し所定の検査やメンテナンスをする際には、第一連結部群１６で連結済みの一箇所（図２においては後述する開口部５７が塞がれている方）、また、第二連結部群１７でも連結済みの一箇所（上記同様後述する開口部５７が塞がれている方）、図示しない切断用の治具（ニッパー等）を用いて対象となる切断部１８、１９を切断することにより、封止状態にある基板ケース１１の開封作業を行うことができるようになっている。基板ケース１１は、上記のように二箇所を切断することにより、開封した痕跡をベース部材１２及び蓋部材１３の両方に残せるように構成されている。図２において、切断部１９は、基板ケース１１の正面Ｒ側から臨む位置に配置形成されている。また、切断部１９は、矢印Ｑで示す方向から上記切断用の治具を移動させて切断されるように配置形成されている。一方、切断部１８は、基板ケース１１の側面（底面Ｕ）側から臨む位置に配置形成されている。また、切断部１８は、矢印Ｐで示す方向から上記切断用の治具を移動させて切断されるように配置形成されている（矢印Ｐ及び矢印Ｑは交差し合う方向であり、１８０度反対方向にはならないものとする。反対方向にならないため、切断し易く、開封痕跡も確認し易くなっている）。
【００３４】
図５及び図６において、基板ケース１１は、少なくとも払出制御基板１０を収容するための透明な樹脂製の部材であって、上記の如く連結部１４、１５（図２ないし図４参照）を複数有するとともに、ベース部材１２及び蓋部材１３を備えて構成されている。連結部１４、１５は、この構成として上記切断部１８、１９の他に、ベース部材１２及び蓋部材１３を連結するための連結具２０と、この連結具２０を回転自在に保持するための回転軸機構２１（図５参照）と、ベース部材１２側に形成されるベース側連結部２２、２３と、蓋部材１３側に形成される蓋側連結部２４、２５とを備えて構成されている。尚、連結部１４、１５（図２ないし図４参照）の数は一例であるものとし、例えば三つずつや四つずつで第一連結部群１６、第二連結部群１７を構成してもよいものとする。また、複数の連結部１４を隣り合わせたり、同じく連結部１５を隣り合わせたりするのではなく、点在させて群を構成してもよいものとする（例えば対になるような状態で群を構成する）。以下、上記各構成部材等について説明をする。
【００３５】
払出制御基板１０は、基板本体２６と、この基板本体２６の表面に実装される電気部品（図示省略）、電子部品２８（ＩＣ等）、及び端子台２９とを備えて構成されている。端子台２９は複数実装されており、上記電気部品等も実際には複数実装されている。基板本体２６は、特に限定するものでないが矩形板状（長方形の板）のものであって、本実施例においては、この形状にて基板領域が形成されるようになっている。複数の端子台２９は、基板本体２６の長手側部に沿うように一列に並んで実装されている。基板本体２６には、複数の固定用の貫通孔３０が形成されている。払出制御基板１０は、貫通孔３０及び後述する位置決めピン３９を介して蓋部材１３側に固定されるようになっている（貫通孔３０をビス孔とし、また、上記位置決めピン３９をボスとすれば、ビス止めにより固定することが可能になるものとする）。
【００３６】
蓋部材１３は、ＡＢＳ樹脂やポリカーボネート（ＰＣ）等の透明な樹脂材料を用い、これを射出成形することにより一体的に成形されている。蓋部材１３は、ベース部材１２の形状に合わせて形成されている。
【００３７】
図７ないし図１０において、蓋部材１３は、蓋部材本体３１と、鍔部３２、３３と、長手側壁３４及び長手端部３５と、この長手側壁３４及び長手端部３５を繋ぐ短手側壁３６、３７と、複数の上記蓋側連結部２４、２５とを有している。蓋側連結部２４、２５は、所定の間隔をあけて配置されている。
【００３８】
蓋部材本体３１は、払出制御基板１０（払出制御基板１０の構成は図５及び図６を参照）を蓋部材１３に収容固定した時に、基板本体２６の表面に実装された電子部品２８等に対し干渉しないような形状、また、電子部品２８等を収容することができる形状に形成されている。鍔部３２は、蓋部材本体３１の上側に連続する鍔状の部分であって、長手側壁１３４を有するように形成されている。鍔部３２には、払出制御基板１０に設けられた端子台２９を露出するための孔３８が複数形成されている（孔３８及び端子台２９の配置は一例であるものとする）。払出制御基板１０は、鍔部３２の孔３８から端子台２９を露出した状態で固定をすることにより、配線接続可能な状態になるようになっている。鍔部３３は、蓋部材本体３１の左側に連続する鍔状の部分であって、短手側壁３６を有するように形成されている。図１０において、蓋部材本体３１及び鍔部３２に突設された位置決めピン３９は、穴と突起の係合により払出制御基板１０を固定するために設けられている。位置決めピン３９は、貫通孔３０の位置に合わせて配置されている。払出制御基板１０を蓋部材１３に収容固定した状態は、図１９ないし図２２に示されている。尚、これらの図を見ると、払出制御基板１０の基板領域上方には、連結部１４、１５が配置されていることが分かる（基板ケース１１の小型化を図ることが可能になる）。
【００３９】
長手側壁３４には、横長のスリット４０が三箇所、等間隔で配置形成されている（図１０参照）。スリット４０は、ベース部材１２側と係合する部分として形成されている。短手側壁３６、３７には、それぞれＬ字状の切り欠きとなる切り欠き部４１が二箇所形成されている。切り欠き部４１の一方は長手側壁３４側に配置され、他方は長手端部３５側に配置されている。切り欠き部４１は、ベース部材１２側とスライド自在に係合する部分として形成されている。切り欠き部４１は、この開口端４２と、スライド方向に延びる係合溝４３とを有している。長手端部３５は、開口部分として形成されている。
【００４０】
蓋側連結部２４は、蓋部材本体３１及び長手端部３５に跨り凹状に形成される第一凹部４４に配置形成されている。また、蓋側連結部２５も蓋部材本体３１及び長手端部３５に跨り凹状に形成される第二凹部４５に配置形成されている。蓋側連結部２４は、第一凹部４４に形成され且つ長手端部３５を面としてみたときに平行となる壁４６から突出するように連成されている。第二凹部４５は、長手端部３５を面としてみたときに、この面に対して非平行となる傾斜壁４７（第二凹部４５の後述する底壁６５から開口に向かうにつれて、長手端部３５の上記面に漸次遠ざかるように傾斜する壁）を有しており、蓋側連結部２５は、切断部１９を介して傾斜壁４７に連成されている。蓋側連結部２４、２５は、長手端部３５から突出しないような大きさ及び位置に形成されている。
【００４１】
蓋側連結部２４は、上記の如く第一凹部４４の壁４６から突出するように連成されている（図７ないし図９参照）。蓋側連結部２４は、二つ並ぶように配置形成されており、これらは基本的に同じ形状になっている。蓋側連結部２４は、収容部４８を有している。収容部４８は、一端が開口し他端が底となる有底の筒形状に形成されている。具体的には、壁４６から突出する四つの筒側壁４９〜５２と、これら筒側壁４９〜５２の角部分にそれぞれ配置される角部側壁５３と、壁４６の位置に配置される筒底壁５４とを有して筒形状に形成されている。
【００４２】
収容部４８は、第一凹部４４の底壁５５に近い側となる筒側壁５０に係止部５６を有している。係止部５６は、筒側壁５０の内面から突出する略爪形状の突起として形成されている（図中の係止部５６の数は一例であるものとする）。係止部５６は、連結具２０（図５参照）を引っ掛けて係止することができるように形成されている。筒側壁５０に対向するように配置される筒側壁４９は、矩形に開口する開口部５７を有している。開口部５７は、筒側壁５０に係止部５６を形成するための型抜き孔として生じる部分（係止部５６を臨むように貫通形成されている）であって、この開口部５７が連結具２０により塞がれずに開口状態にあるか、若しくは塞がれて閉塞状態にあるかにより（図１９ないし図２２を参照しながら後述する）、係止状態を確認することができるようになっている。尚、相対向する筒側壁５１、５２は、単なる壁として形成されている。筒側壁４９〜５２の各先端側には、略テーパ形状となる挿入部５８が周設されている。挿入部５８は、ベース側連結部２２に差し込まれる部分として形成されている。筒底壁５４は、係合保持部５９を有している。係合保持部５９は、連結具２０の一部（図１５を参照しながら後述する第二片状部８０の先端部分）を係合・保持する部分として凹状の形状に形成されている。係合保持部５９は、筒側壁４９及び筒側壁５２の各基端位置に連続するように略Ｌ字状の形状に形成されている（図９参照）。
【００４３】
収容部４８は、連結時において連結具２０が収容される部分（図１９ないし図２３参照）として形成されている。連結具２０については、図１５及び図１６参照しながら後述する。
【００４４】
蓋側連結部２５は、上記の如く切断部１９を介して第二凹部４５の傾斜壁４７に連成されている。蓋側連結部２５は、二つ並ぶように配置形成されており、これらは基本的に同じ形状になっている。蓋側連結部２５は、切断部１９の一端に連続する基部６０と、この基部６０の周縁から突出する枠部６１と、基部６０の中央位置から突出するとともに回転軸機構２１（図５参照）を構成する軸部６２と、同じく基部６０から突出する一対の位置決めリブ６３とを有している。
【００４５】
基部６０及び枠部６１は、ベース側連結部２３の収容部４８における挿入部５８（図１１ないし図１４参照）の差し込みが可能となるとともに、挿入部５８を介して収容部４８を支持することができるように形成されている。軸部６２は、上記の如く回転軸機構２１（図５参照）を構成する一部分であって、略円筒形状に形成されている。軸部６２の外周面には、所定ピッチで軸方向に延びる複数の低背の突条６４が形成されている。突条６４は、本形態において、９０度ピッチで四つ形成されている。突条６４は、連結具２０（図１９ないし図２３参照）の後述する係止位置及び係止退避位置に合わせて配置形成されている。一対の位置決めリブ６３は、連結具２０の回転を規制する突起形状の部分として形成されている。一対の位置決めリブ６３も連結具２０の後述する係止位置及び係止退避位置に合わせて配置形成されている。一対の位置決めリブ６３には、連結具２０の後述する位置決め当接部８４（図１５及び図１６参照）が当接するようになっている。一対の位置決めリブ６３は、ストッパとしての機能を有している。
【００４６】
切断部１９は、蓋側連結部２５の構成をこの部分のみで蓋部材１３側に連続させる部分として形成されている。切断部１９は、この一端が基部６０に連続するとともに、他端が第二凹部４５の傾斜壁４７に連続するように形成されている。切断部１９は、第二凹部４５の底壁６５に近い側に配置形成されている（このような奥まった位置に配置されることから、第二凹部４５に傾斜壁４７を形成することが有効である）。切断部１９は、図示しない切断用の治具（ニッパー等）で切断可能な形状に形成されている（本実施例においては、略リブ状に形成されている）。切断部１９は、ベース部材１２及び蓋部材１３の連結状態を維持するため（図２参照）、必要最低限の強度を有するように形成されている。
【００４７】
図９及び図１０において、第一凹部４４及び第二凹部４５の間であって、長手端部３５の近傍には、ベース部材１２側の一部が挿入されてこれを支持する略Ｌ字状の支持部６６が複数形成されている。支持部６６は、所定の間隔で並ぶように配置形成されている（図中の数は一例であるものとする）。
【００４８】
図１１ないし図１４において、ベース部材１２は、蓋部材１３と同様にＡＢＳ樹脂やポリカーボネート（ＰＣ）等の透明な樹脂材料を用い、これを射出成形することにより一体的に成形されている。ベース部材１２は、矩形状に形成される底壁６７を有している。また、ベース部材１２は、底壁６７の左右両側に連成される高さの低い一対の短手側壁６８と、この一対の短手側壁６８を底壁６７の下端位置で繋ぐ高さの高い長手側壁６９と、長手側壁６９に連成される上記ベース側連結部２２、２３とを有している。長手側壁６９の内側には、ベース側連結部２２、２３の間に位置するとともに蓋部材１３の支持部６６（図９及び図１０参照）に差し込まれて支持される支持用リブ７０と、蓋部材１３の第一凹部４４及び第二凹部４５（図９及び図１０参照）を支持するための支持用リブ７１、７２とが形成されている。尚、底壁６７及び長手側壁６９の各外面には、補強用のリブ７３が複数形成されている。
【００４９】
底壁６７の上端位置には、係合凸部７４が三箇所、等間隔で配置形成されている。係合凸部７４は、蓋部材１３のスリット４０（図１０参照）に差し込まれるような形状に形成されている。一対の短手側壁６８のそれぞれの内側には、この短手側壁６８よりも低く平行なリブ７５が配置形成されている。リブ７５は、底壁６７から突出するように形成されている。リブ７５と短手側壁６８との間には、係合部７６が形成されている。係合部７６は、蓋部材１３の切り欠き部４１（図７及び図１０参照）の位置に合わせて配置形成されている。係合部７６は、上記切り欠き部４１の開口端４２に差し込まれ、そして、係合溝４３に係合しつつスライドするように形成されている。長手側壁６９には、ベース側連結部２２の連成部分に切り欠き凹部７７が形成されている。
【００５０】
ベース側連結部２２は、切断部１８を介して長手側壁６９における切り欠き凹部７７に突出するように連成されている。ベース側連結部２２は、二つ並ぶように配置形成されており、これらは基本的に同じ形状になっている。ベース側連結部２２は、蓋部材１３の蓋側連結部２５（図８参照）と同じ構成を有するように形成されている。すなわち、ベース側連結部２２は、切断部１８の一端に連続する基部６０と、この基部６０の周縁から突出する枠部６１と、基部６０の中央位置から突出するとともに回転軸機構２１（図５参照）を構成する軸部６２と、同じく基部６０から突出する一対の位置決めリブ６３とを有している。
【００５１】
切断部１８は、ベース側連結部２２の構成をこの部分のみでベース部材１２側に連続させる部分として形成されている。切断部１８は、この一端が基部６０に連続するとともに、他端が切り欠き凹部７７に連続するように形成されている。切断部１８は、図示しない切断用の治具（ニッパー等）で切断可能な形状に形成されている（本実施例においては、略リブ状に形成されている）。切断部１８は、ベース部材１２及び蓋部材１３の連結状態を維持するため（図２参照）、必要最低限の強度を有するように形成されている。
【００５２】
ベース側連結部２３は、長手側壁６９の内面から突出するように連成されている。蓋側連結部１３は、二つ並ぶように配置形成されており、これらは基本的に同じ形状になっている。ベース側連結部２３は、蓋部材１３の蓋側連結部２４（図８参照）と同じ構成を有するように形成されている。すなわち、ベース側連結部２３は、収容部４８を有している。収容部４８は、一端が開口し他端が底となる有底の筒形状に形成されている。収容部４８は、長手側壁６９の内面から突出する四つの筒側壁４９〜５２と、これら筒側壁４９〜５２の角部分にそれぞれ配置される角部側壁５３と、壁４６の位置に配置される筒底壁５４とを有して筒形状に形成されている。
【００５３】
収容部４８は、筒側壁５０に係止部５６を有している。係止部５６は、筒側壁５０の内面から突出する略爪形状の突起として形成されている（図中の係止部５６の数は一例であるものとする）。筒側壁４９は、矩形に開口する開口部５７を有している。筒側壁４９〜５２の各先端側には、略テーパ形状となる挿入部５８が周設されている。挿入部５８は、蓋側連結部２５に差し込まれる部分として形成されている。筒底壁５４は、係合保持部５９を有している。係合保持部５９は、凹状の形状に形成されている。また、係合保持部５９は、筒側壁４９及び筒側壁５２の各基端位置に連続するように略Ｌ字状の形状に形成されている（図１４参照）。
【００５４】
図１５において、連結具２０は、ベース部材１２及び蓋部材１３（図５及び図６参照）を連結するための樹脂製の部品であって、例えばベース部材１２及び蓋部材１３とは異なり、色つきに形成されている（連結具２０全て同じ色にしてもよいし、連結毎に色を変えてもよいものとする）。連結具２０は、長方形の板状となる基部７８と、この基部７８の一端に連成される第一片状部７９と、基部７８の他端に連成される第二片状部８０と、基部７８の中央位置近傍から第一片状部７９及び第二片状部８０とは反対方向に突出するとともに回転軸機構２１（図５参照）を構成する一対の軸係合部８１とを有している。
【００５５】
基部７８は、この中央位置に軸孔８２を有している。軸孔８２は、回転軸機構２１（図５参照）を構成する一部分として形成されている。軸孔８２には、後述する軸用ビス８６が挿通されるようになっている。軸孔８２の縁部には、一対の軸係合部８１が配置形成されている。一対の軸係合部８１は、回転軸機構２１（図５参照）を構成する軸部６２（図９及び図１４参照）を挟み込むような突出部分であって、軸部６２の外周面に対向する面には、軸部６２の突条６４に対応する溝８３が形成されている（突条６４が乗り越えて入り込むような溝８３が形成されている。突条６４が乗り越えて溝８３に入り込む時、又は溝８３から突条６４が出る時にクリック感が生じる）。一対の軸係合部８１の各側部には、軸部６２の近傍に配置される一対の位置決めリブ６３（図９及び図１４参照）に対し当接する位置決め当接部８４が形成されている。位置決め当接部８４は、これが対応する位置決めリブ６３に当接することにより、連結具２０の回転位置が決定するようになっている。
【００５６】
第一片状部７９は、片持ちの短冊形状に形成されている。この第一片状部７９には、収容部４８における係止部５６（図９及び図１４参照）に引っ掛かる被係止部８５が形成されている。被係止部８５は、矩形の穴形状に形成されている。第一片状部７９は、被係止部８５が上記係止部５６に引っ掛かり係止されるために、可撓性を有するように形成されている。第二片状部８０は、第一片状部７９と同様に片持ちの短冊片形状に形成されている。第二片状部８０は、第一片状部７９よりも若干長く形成されている。尚、この長くなっている部分、すなわち第二片状部８０の先端部分は、係合保持部５９（図９及び図１４参照）に差し込まれて係合し、保持される部分として形成されている。第二片状部８０は、所定の間隔をあけて第一片状部７９に対向するように配置されている。第二片状部８０は、収容部４８における開口部５７（図８及び図１２参照）を塞ぐことができる部分として形成されている。
【００５７】
連結具２０の基部７８における軸孔８２に軸用ビス８６が挿通されると、図１６に示す如くの状態になる。軸用ビス８６は、回転軸機構２１（図５参照）を構成する一部品として設けられている。軸用ビス８６は、連結具２０を回転自在に保持しつつ軸部６２（図９及び図１４参照）にねじ込み固定されるようになっている。尚、軸用ビス８６は一例であるものとする。すなわち、連結具２０を回転自在に保持することができれば特に限定されないものとする。
【００５８】
次に、上記構成及び構造に基づき図１５及び図１６に示す連結具２０による連結について、図１９ないし図２３の断面図を参照しながら説明をする。断面図は図１７及び図１８の断面線に基づき示すものとする。連結具２０を保持した状態のベース側連結部２２を有するベース部材１２、及び同じく連結具２０を保持した状態の蓋側連結部２５を有する蓋部材１３を重ね合わせ、そして、これらのうち一方に対して他方を相対的に所定方向へスライド移動させると、このスライド移動に伴い所定の連結部１４、１５における連結具２０による連結が完了する。すなわち、ベース部材１２及び蓋部材１３が完全に連結し、基板ケース１１は封止状態になる。
【００５９】
図２３において、封止状態にある基板ケース１１は、第一連結部群１６における左側の連結部１４により連結されるとともに、第二連結部群１７における左側の連結部１５により連結されている。具体的には、連結具２０の被係止部８５が上記連結部１４、１５における収容部４８の係止部５６に引っ掛かり係止され、これによって連結されている。
【００６０】
図１９及び図２１において、連結部１４、１５における連結具２０の連結は、連結具２０を係止位置に回転させた状態で行われ、連結具２０の被係止部８５が収容部４８の係止部５６に引っ掛かり係止される。この時、収容部４８の開口部５７は連結具２０の第二片状部８０により塞がれ、被係止部８５と係止部５６との係止状態を外部から解除しようとすることは不能となる（第二片状部８０の先端部分が係合保持部５９に差し込まれて係合することから、第二片状部８０による開口部５７を塞いだ状態を外部から解除することも困難である）。開口部５７に関し、これが第二片状部８０によって塞がれている時、基板ケース１１は、連結具２０による連結がなされていることが分かる。連結が完了すると、基板ケース１１は封止状態になる。尚、連結状態であることから、ベース部材１２及び蓋部材１３のスライド移動は不能になる。
【００６１】
図２０及び図２２において、ここでの連結具２０は、連結に使用する対象のものでなく、連結具２０を係止退避位置に配置した状態（初期位置の状態とも言える）になっている。すなわち、第一片状部７９及び第二片状部８０は、図１９及び図２１の係止位置に対して９０度向きを変えた状態になっている。これにより、収容部４８の係止部５６に引っ掛かることはなく、また、収容部４８の開口部５７は開口した状態となる。
【００６２】
図１９及び図２１において、封止状態にある基板ケース１１は、連結具２０によってベース部材１２及び蓋部材１３が連結していることから、ベース部材１２側となる配置の切断部１８を矢印Ｐで示す方向から図示しない切断用の治具を移動させて切断しない限り、また、蓋部材１３側となる配置の切断部１９を矢印Ｑで示す方向から上記切断用の治具を移動させて切断しない限り、ベース部材１２及び蓋部材１３の連結を解除することはできない。切断対象となる切断部１８、１９が切断されると、基板ケース１１の開封痕跡はベース部材１２及び蓋部材１３の両方に残るようになる。開封痕跡は、基板ケース１１の開封事実を確認し易い位置に残るようになる。
【００６３】
以上、図１ないし図２３を参照しながら説明してきたが、本発明は本発明の主旨を変えない範囲で種々変更実施可能なことは勿論である。
【００６４】
例えば、連結部１５の変形例として（連結部１４の変形例としても適用可能）、図２４に示す如くの蓋側連結部２５′と連結具２０′、及び図２５に示す如くのベース側連結部２３′を用いてもよいものとする。
【００６５】
図２４において、蓋側連結部２５′は、切断部１９の一端に連続する基部６０′及び枠部６１′の形状が異なっている。また、基部６０′から突出する軸部６２や位置決めリブ６３等の向きが９０度異なり、これによって連結具２０′の向きも異なっている。連結具２０′は、軸用ビス８６により回転自在に保持されている。連結具２０′の第一片状部７９には、被係止部８５が形成されている。第二片状部８０には、新たに逃げ部９０が追加形成されている。
【００６６】
図２４中の左側の連結具２０′は係止位置に配置されており、図２４中右側の連結具２０′は係止退避位置に配置されている。
【００６７】
図２５において、ベース側連結部２３′は、収容部４８′の向きが９０度異なり、これによって係止部５６及び開口部５７（図示省略）の向きも異なっている。係止部５６は、図２４に示す如くの連結具２０′が係止退避位置に配置される場合に逃げ部９０を通過し、連結具２０′が係止位置に配置される場合に被係止部８５を引っ掛けてこれを係止するように配置形成されている。
【００６８】
連結具２０′の軸方向は、図１ないし図２３を参照しながら説明してきた基板ケース１１の連結具２０の軸方向と異なり、ベース部材１２及び蓋部材１３のスライド移動方向に対して交差（直交）するように設定されている（連結具２０の場合はスライド移動方向に対して平行）。
【符号の説明】
【００６９】
１０…払出制御基板（基板）
１１…基板ケース
１２…ベース部材
１３…蓋部材
１４、１５…連結部
１６…第一連結部群
１７…第二連結部群
１８、１９…切断部
２０…連結具
２１…回転軸機構
２２、２３…ベース側連結部
２４、２５…ベース側連結部
４８…収容部
５６…係止部
５７…開口部
５９…係合保持部
６２…軸部
６３…位置決めリブ
６４…突条
８３…溝
８５…被係止部
【図１】
2011092334.tif 000003
【図２】
2011092334.tif 000004
【図３】
2011092334.tif 000005
【図４】
2011092334.tif 000006
【図５】
2011092334.tif 000007
【図６】
2011092334.tif 000008
【図７】
2011092334.tif 000009
【図８】
2011092334.tif 000010
【図９】
2011092334.tif 000011
【図１０】
2011092334.tif 000012
【図１１】
2011092334.tif 000013
【図１２】
2011092334.tif 000014
【図１３】
2011092334.tif 000015
【図１４】
2011092334.tif 000016
【図１５】
2011092334.tif 000017
【図１６】
2011092334.tif 000018
【図１７】
2011092334.tif 000019
【図１８】
2011092334.tif 000020
【図１９】
2011092334.tif 000021
【図２０】
2011092334.tif 000022
【図２１】
2011092334.tif 000023
【図２２】
2011092334.tif 000024
【図２３】
2011092334.tif 000025
【図２４】
2011092334.tif 000026
【図２５】
2011092334.tif 000027